(57)【要約】      （修正有）【課題】美しく強いきらめきを放つ装飾性の高い装飾用チェーンを提供する。【解決手段】装飾用チェーン３０は、複数の金属製の環状部材１０が鎖状に連結されている装飾用チェーンであって、環状部材が外周縁を頂部２２として略山型となる山型部２０を備えている。【選択図】図１
2019122442.tif 000002
【特許請求の範囲】
【請求項１】
複数の金属製の環状部材が鎖状に連結されている装飾用チェーンであって、
環状部材が外周縁を頂部として略山型となる山型部を備えていることを特徴とする装飾用チェーン。
【請求項２】
山型部の斜面が環の周方向に湾曲していることを特徴とする請求項１記載の装飾用チェーン。
【請求項３】
山型部の斜面が多面状となっていることを特徴とする請求項１または２記載の装飾用チェーン。
【発明の詳細な説明】
【技術分野】
【０００１】
本発明は、装飾用チェーンに関するものである。
【背景技術】
【０００２】
一般的な装飾用チェーンは、複数の金属からなる環状の部材を鎖状に連結して構成されている。また、特許文献１には、喜平型チェーンの環状部材の側周面をカットして、平らな面を設けた装飾用チェーンが開示されている。
しかしながら、一般的な装飾用チェーンや特許文献１記載の装飾用チェーンは、きらめきの美しさや強さが弱く、また光が入射する角度によって、きらめきの度合いが大きく異なるものであった。
【先行技術文献】
【特許文献】
【０００３】
【特許文献１】特開２００５−３１２３６３号公報
【発明の概要】
【発明が解決しようとする課題】
【０００４】
本発明は、美しく強いきらめきを放つ装飾性の高い装飾用チェーンを提供することを目的とする。
【課題を解決するための手段】
【０００５】
装飾用チェーンは、複数の金属製の環状部材が鎖状に連結されている装飾用チェーンであって、環状部材が外周縁を頂部として略山型となる山型部を備えている。
【０００６】
装飾用チェーンは、山型部の斜面が環の周方向に湾曲しているものであってもよい。
【０００７】
装飾用チェーンは、山型部の斜面が多面状となっているものであってもよい。
【発明の効果】
【０００８】
上記装飾用チェーンは、環状部材にその外周縁を頂部とする山形部を設けることにより、個々の環状部材が、どのような方向から光が入射しても様々な方向に光を反射し、非常に美しくて強いきらめきを放つので、従来の引輪に比べ、装飾性が非常に高い。
【図面の簡単な説明】
【０００９】
【図１】実施形態の装飾用チェーンを示す側面図である。
【図２】環状部材を示す側面図である。
【図３】環状部材を示す平面図である。
【図４】環状部材を示す正面図である。
【図５】図２のＶ−Ｖ線端面図である。
【図６】他の実施形態の装飾用チェーンを示す側面図である。
【図７】他の実施形態の環状部材を示す側面図である。
【図８】他の実施形態の環状部材を示す平面図である。
【発明を実施するための形態】
【００１０】
以下、実施形態の装飾用チェーンについて説明する。装飾用チェーンは、図１に示すように、複数の環状部材１０を鎖状に連結して構成されている。
【００１１】
以下の説明において、環状部材１０は、その長手方向を前後方向とし、前後方向に直交する方向であって、環状部材１０の環状面が見える方向を左右方向（側方）とし、前後方向および左右方向に直行する方向を上下方向とする。また、複数の環状部材１０を鎖状に連結したものをチェーン３０と言うものとし、チェーン３０についてはその長手方向を前後方向とする。
【００１２】
環状部材１０は、環状のものであり、金属で形成されている。本実施形態では、環状部材１０は、図１および図２に示すように、外周縁が略楕円状となっており、内周縁が前後の部分が湾曲する略長方形状となっている。環状部材１０の金属としては、例えば金や銀などを用いることができる。環状部材１０は、互いに他方の環内に通され、一方に対し他方が前後方向を軸として略９０°回転した状態で連結し、チェーン３０を構成している。
【００１３】
環状部材１０は、環の周方向の少なくとも一部に、外周縁を頂部２２として略山型となる山型部を備えている。山型部は、その斜面２４，２４が環の周方向に湾曲しているものであってもよい。また、山形部２０は、その斜面２４，２４が多面状となっているものであってもよい。
【００１４】
本実施形態では、図１〜図５に示すように、山形部２０は、環状部材１０の外周縁を頂部２２とし、頂部２２から左右の斜め下方に延びる斜面２４，２４を備えている。山形部２０は、その頂部２２が、環状部材１０の２つの重なり部２６，２６の間において上下に略対象に形成されている。ここで、重なり部とは、チェーン３０を延ばした状態において、環状部材１０のうち、その前後に連結する環状部材１０が重なり合う部分のことをいう。山形部２０の斜面２４，２４は、２つの重なり部２６，２６の間に形成されるとともに、その端部側のわずかな領域が重なり部２６も形成されている。また、環状部材１０を側方から見ると、山形部２０のうち左右の斜面２４，２４は、環の周方向に湾曲している。言い換えれば、山形部２０のうち左右の斜面２４，２４は、外周縁側の縁（頂部２２）および内周縁側の縁が環の周方向に湾曲している。
【００１５】
他の実施形態として、上記山形部２０は、図６〜図８に示すように、斜面２４，２４を環の周方向に多面状とすることもできる。
【００１６】
本実施形態の山形部２０は、例えば、横断面が円形である環状部材１０を連結して予めチェーン３０を製造し、そのチェーン３０をその前後方向（長手方向）に送りながらダイヤモンドバイト等で環状部材１０の外周縁側の左右をそれぞれ斜めに切削することにより形成される。このように切削することにより、環状部材１０のうち山形部２０がある部分の横断面は、図５に示すように、外周縁側が山型となり、内周縁側が円弧状になる。
【００１７】
上記装飾用チェーンは、従来の装飾用チェーンと同様に、その両端を連結するためにチェーン３０の一端に引輪を取り付けたり、装飾価値を高めるために宝石を取り付けたりして、首等の体の部位に装着される。
【００１８】
上記装飾用チェーンは、環状部材１０にその外周縁を頂部２２とする山形部２０を設けることにより、個々の環状部材１０が、どのような方向から光が入射しても様々な方向に光を反射し、非常に美しくて強いきらめきを放つので、従来の引輪に比べ、装飾性が非常に高い。
【００１９】
また、装飾用チェーンは、山型部の斜面２４，２４を環の周方向に湾曲させると、さらに美しくて強いきらめきを放つようになるので、より一層装飾性が高くなる。
【００２０】
また、装飾用チェーンは、山型部の斜面２４，２４を多面状とすると、さらに美しくて強いきらめきを放つようになるので、より一層装飾性が高くなる。
【００２１】
また、環状部材１０の重なり部２６，２６の間において山形部２０の頂部２２が形成されている装飾用チェーンは、上記効果に加えて、個々の環状部材１０に山形部２０を形成してから、それぞれを連結してチェーン３０を製造する必要がなく、あらかじめ環状部材１０でチェーン３０を形成し、その形成したチェーン３０を長手方向に送りながら切削して山形部２０を形成することができるので、効率よく製造できる。
【００２２】
本発明の引輪は、上記実施形態に特に限定されるものではなく、本発明の要旨の範囲内において適宜変更することができる。
例えば、環状部材１０の環の形状は、円形など、どのような形状のものであっても構わない。また、山形部２０は、環状部材１０の環の周方向の全域に設けられるものであってもよいし、一部の区間に設けられるものであってもよい。また、環状部材１０は、外周縁を頂部２２とする山形部２０に加えて、内周縁を頂部２２とする山形部２０も併せて備えるものであってもよい。また、環の周方向における山形部２０の斜面２４，２４の形状は、湾曲するもの以外のものであってもよく、直線状や多角形状であってもよい。また、山形部２０の斜面２４，２４は、環の周方向に多面状とする以外にも、環状部材１０の胴回り方向に多面状とするものであってもよいし、そのような方向にとらわれず斜面２４，２４の全域または一部を多面状に形成するものであってもよい。
【符号の説明】
【００２３】
１０    環状部材
２０    山形部
２２    頂部
２４    斜面
２６    重なり部
３０    チェーン
【図１】
2019122442.tif 000003
【図２】
2019122442.tif 000004
【図３】
2019122442.tif 000005
【図４】
2019122442.tif 000006
【図５】
2019122442.tif 000007
【図６】
2019122442.tif 000008
【図７】
2019122442.tif 000009
【図８】
2019122442.tif 000010